(57)【要約】【課題】重量の増加を招くこと無く、画像処理により表示画像を回転させること無く、頭部装着型ディスプレイを装着した観察者の頭部が傾いても観察者が水平に保持された画像を観察することを可能とする頭部装着型ディスプレイを提供する。【解決手段】画像表示装置は、画像形成装置１１１、画像形成装置から出射された光を平行光とする光学系１１２、光学系にて平行光とされた光束が入射され、導光され、出射される光学装置１２０、及び、少なくとも画像形成装置を光学装置に対して回動自在に支持する支持部材５００を備えており、少なくとも画像形成装置１１１と支持部材５００との組立体は、支持部材５００の回動中心軸ＡＸから離れた位置に重心ＧＣを有し、重力によって、少なくとも画像形成装置１１１を光学装置１２０に対して回動させ、以て、画像形成装置１１１を水平に保持する。【選択図】  図２
2011053267.tif 000002
【特許請求の範囲】
【請求項１】
（Ａ）画像形成装置、
（Ｂ）画像形成装置から出射された光を平行光とする光学系、
（Ｃ）光学系にて平行光とされた光束が入射され、導光され、出射される光学装置、及び、
（Ｄ）少なくとも画像形成装置を光学装置に対して回動自在に支持する支持部材、
を備えており、
少なくとも画像形成装置と支持部材との組立体は、支持部材の回動中心軸から離れた位置に重心を有し、重力によって、少なくとも画像形成装置を光学装置に対して回動させ、以て、画像形成装置を水平に保持する画像表示装置。
【請求項２】
支持部材は、画像形成装置を光学装置及び光学系に対して回動自在に支持する請求項１に記載の画像表示装置。
【請求項３】
支持部材は、第１円筒部材、第２円筒部材、並びに、第１円筒部材と第２円筒部材との間に配され、第１円筒部材と第２円筒部材とを相対的に回動させる回動部材を備えており、
第１円筒部材内に、画像形成装置が配置されており、
第２円筒部材内に、光学系が配置されており、
光学装置は、第２円筒部材に取り付けられている請求項２に記載の画像表示装置。
【請求項４】
支持部材は、画像形成装置及び光学系を光学装置に対して回動自在に支持する請求項１に記載の画像表示装置。
【請求項５】
支持部材は、第１円筒部材、第２円筒部材、並びに、第１円筒部材と第２円筒部材との間に配され、第１円筒部材と第２円筒部材とを相対的に回動させる回動部材を備えており、
第１円筒部材内に、画像形成装置及び光学系が配置されており、
光学装置は、第２円筒部材に取り付けられている請求項４に記載の画像表示装置。
【請求項６】
（イ）観察者の頭部に装着される眼鏡型のフレーム、及び、
（ロ）フレームに取り付けられた画像表示装置、
を備えた頭部装着型ディスプレイであって、
画像表示装置は、
（Ａ）画像形成装置、
（Ｂ）画像形成装置から出射された光を平行光とする光学系、
（Ｃ）光学系にて平行光とされた光束が入射され、導光され、出射される光学装置、及び、
（Ｄ）少なくとも画像形成装置を光学装置に対して回動自在に支持する支持部材、
を備えており、
少なくとも画像形成装置と支持部材との組立体は、支持部材の回動中心軸から離れた位置に重心を有し、重力によって、少なくとも画像形成装置を光学装置に対して回動させ、以て、画像形成装置を水平に保持する頭部装着型ディスプレイ。
【請求項７】
支持部材は、画像形成装置を光学装置及び光学系に対して回動自在に支持する請求項６に記載の頭部装着型ディスプレイ。
【請求項８】
支持部材は、第１円筒部材、第２円筒部材、並びに、第１円筒部材と第２円筒部材との間に配され、第１円筒部材と第２円筒部材とを相対的に回動させる回動部材を備えており、
第１円筒部材内に、画像形成装置が配置されており、
第２円筒部材内に、光学系が配置されており、
光学装置は、第２円筒部材に取り付けられている請求項７に記載の頭部装着型ディスプレイ。
【請求項９】
支持部材は、画像形成装置及び光学系を光学装置に対して回動自在に支持する請求項６に記載の頭部装着型ディスプレイ。
【請求項１０】
支持部材は、第１円筒部材、第２円筒部材、並びに、第１円筒部材と第２円筒部材との間に配され、第１円筒部材と第２円筒部材とを相対的に回動させる回動部材を備えており、
第１円筒部材内に、画像形成装置及び光学系が配置されており、
光学装置は、第２円筒部材に取り付けられている請求項９に記載の頭部装着型ディスプレイ。
【請求項１１】
フレームは、観察者の正面に配置されるフロント部と、フロント部の両端に蝶番を介して回動自在に取り付けられた２つのテンプル部とから成る請求項６に記載の頭部装着型ディスプレイ。
【請求項１２】
（イ）観察者の頭部に装着される眼鏡型のフレーム、及び、
（ロ）支持部材によって、回動自在にフレームに取り付けられた画像形成装置、
を備えた頭部装着型ディスプレイであって、
画像形成装置と支持部材との組立体は、支持部材の回動中心軸から離れた位置に重心を有し、重力によって画像形成装置をフレームに対して回動させ、以て、画像形成装置を水平に保持する頭部装着型ディスプレイ。
【発明の詳細な説明】
【技術分野】
【０００１】
本発明は、画像形成装置によって形成された２次元画像を観察者に観察させるために使用される画像表示装置、及び、係る画像表示装置が組み込まれ、観察者の頭部に装着される眼鏡型のフレームを備えた頭部装着型ディスプレイ（ＨＭＤ，Head Mounted Display）に関する。
【背景技術】
【０００２】
画像形成装置によって形成された２次元画像を虚像光学系により拡大虚像として観察者に観察させるための虚像表示装置（画像表示装置）が、例えば、特開２００６−１６２７６７から周知である。
【０００３】
概念図を図１に示すように、この画像表示装置１００は、２次元マトリクス状に配列された複数の画素を備えた画像形成装置１１１、画像形成装置１１１の画素から出射された光を平行光とするコリメート光学系１１２、及び、コリメート光学系１１２にて平行光とされた光が入射され、導光され、出射される光学装置（導光手段）１２０を備えている。光学装置１２０は、入射された光が内部を全反射により伝播した後、出射される導光板１２１、導光板１２１に入射された光が導光板１２１の内部で全反射されるように、導光板１２１に入射された光を反射させる第１偏向手段１３０（例えば、１層の光反射膜から成る）、及び、導光板１２１の内部を全反射により伝播した光を導光板１２１から出射させる第２偏向手段１４０（例えば、多層積層構造を有する光反射多層膜から成る）から構成されている。そして、このような画像表示装置１００によって、例えば、ＨＭＤを構成すれば、装置の軽量化、小型化を図ることができる。
【０００４】
あるいは又、画像形成装置によって形成された２次元画像を虚像光学系により拡大虚像として観察者に観察させるために、ホログラム回折格子を用いた虚像表示装置（画像表示装置）が、例えば、特開２００７−９４１７５から周知である。
【０００５】
概念図を図６に示すように、この画像表示装置３００は、基本的には、画像を表示する画像形成装置１１１と、コリメート光学系１１２と、画像形成装置１１１に表示された光が入射され、観察者の瞳４１へと導く光学装置（導光手段）３２０とを備えている。ここで、光学装置３２０は、導光板３２１と、導光板３２１に設けられた反射型体積ホログラム回折格子から成る第１回折格子部材３３０及び第２回折格子部材３４０を備えている。そして、コリメート光学系１１２には画像形成装置１１１の各画素から出射された光が入射され、コリメート光学系１１２によって平行光が生成され、導光板３２１に入射される。導光板３２１の第１面３２２から、平行光が入射され、出射される。一方、導光板３２１の第１面３２２と平行である導光板３２１の第２面３２３に、第１回折格子部材３３０及び第２回折格子部材３４０が取り付けられている。
【０００６】
頭部装着型ディスプレイが水平から傾いた角度を姿勢センサーを用いて検出し、画像処理又はモーター等の制御駆動装置により表示画像を常に水平に保つ頭部装着型ディスプレイが、例えば、特開２０００−３１２３１９から周知である。このような機構を有する頭部装着型ディスプレイを用いることで、観察者の頭部が傾いても、観察者は水平な画像を観察することが可能となる。
【先行技術文献】
【特許文献】
【０００７】
【特許文献１】特表２００５−５２１０９９
【特許文献２】特開２００６−１６２７６７
【特許文献３】特開２００７−９４１７５
【特許文献４】特開２０００−３１２３１９
【発明の概要】
【発明が解決しようとする課題】
【０００８】
ところで、特開２０００−３１２３１９に開示された技術にあっては、姿勢センサーやモーター等の回転伝達機構が必要であり、頭部装着型ディスプレイ全体の重量の増加、製造コストの増加、消費電力の増加といった問題を有している。更には、画像処理により表示画像を回転させて表示画像を水平に保持する場合、このような処理にあっては、表示画像を回転させるが故に、大きな表示領域を有する画像形成装置が必要とされるだけでなく、文字等を斜めに表示することになるので、綺麗な文字を表示するためには画像形成装置の解像度を高くする必要がある。
【０００９】
従って、本発明の目的は、重量の増加、製造コストの増加、消費電力の増加を招くこと無く、しかも、画像処理により表示画像を回転させること無く、頭部装着型ディスプレイを装着した観察者の頭部が傾いても観察者が水平に保持された画像を観察することを可能とする頭部装着型ディスプレイ、及び、係る頭部装着型ディスプレイでの使用に適した画像表示装置を提供することにある。
【課題を解決するための手段】
【００１０】
上記の目的を達成するための本発明の画像表示装置は、
（Ａ）画像形成装置、
（Ｂ）画像形成装置から出射された光を平行光とする光学系、
（Ｃ）光学系にて平行光とされた光束が入射され、導光され、出射される光学装置、及び、
（Ｄ）少なくとも画像形成装置を光学装置に対して回動自在に支持する支持部材、
を備えており、
少なくとも画像形成装置と支持部材との組立体は、支持部材の回動中心軸から離れた位置に重心を有し、重力によって、少なくとも画像形成装置を光学装置に対して回動させ、以て、画像形成装置を水平に保持する。
【００１１】
上記の目的を達成するための本発明の第１の態様に係る頭部装着型ディスプレイは、
（イ）観察者の頭部に装着される眼鏡型のフレーム、及び、
（ロ）フレームに取り付けられた画像表示装置、
を備えており、
画像表示装置は、上述した本発明の画像形成装置から構成されている。本発明の第１の態様に係る頭部装着型ディスプレイにあっては、本発明の画像表示装置を、１つ備えていてもよいし（片眼型）、２つ備えていてもよい（両眼型）。尚、光学装置とフレームとの間に相対的な動きは無い。即ち、フレームに対して光学装置は静止した状態に置かれる。
【００１２】
上記の目的を達成するための本発明の第２の態様に係る頭部装着型ディスプレイは、
（イ）観察者の頭部に装着される眼鏡型のフレーム、及び、
（ロ）支持部材によって、回動自在にフレームに取り付けられた画像形成装置、
を備えており、
画像形成装置と支持部材との組立体は、支持部材の回動中心軸から離れた位置に重心を有し、重力によって画像形成装置をフレームに対して回動させ、以て、画像形成装置を水平に保持する。本発明の第２の態様に係る頭部装着型ディスプレイにあっては、画像形成装置を、１つ備えていてもよいし（片眼型）、２つ備えていてもよい（両眼型）。
【発明の効果】
【００１３】
本発明の画像表示装置、あるいは、本発明の第１の態様に係る頭部装着型ディスプレイにおける画像表示装置において、少なくとも画像形成装置と支持部材との組立体は、支持部材の回動中心軸から離れた位置に重心を有し、重力によって、少なくとも画像形成装置を光学装置に対して回動させ、以て、画像形成装置を水平に保持する。また、本発明の第２の態様に係る頭部装着型ディスプレイにあっては、画像形成装置と支持部材との組立体は、支持部材の回動中心軸から離れた位置に重心を有し、重力によって画像形成装置をフレームに対して回動させ、以て、画像形成装置を水平に保持する。従って、簡素な構成、構造にて、頭部装着型ディスプレイを装着した観察者の頭部が傾いても観察者が水平に保持された画像を観察することができる。しかも、重量の増加、製造コストの増加、消費電力の増加を招くことが無いし、画像処理により表示画像を回転させる必要も無く、大きな表示領域を有する画像形成装置が不要であるし、画像形成装置の解像度を高くする必要も無い。
【図面の簡単な説明】
【００１４】
【図１】図１は、実施例１の画像表示装置の概念図である。
【図２】図２の（Ａ）及び（Ｂ）は、実施例１の画像表示装置を構成する導光板における光の伝播を模式的に示す図、及び、導光板等の配置状態を示す概念図である。
【図３】図３は、実施例１の頭部装着型ディスプレイを上方から眺めた模式図である。
【図４】図４は、実施例１の頭部装着型ディスプレイを横から眺めた模式図である。
【図５】図５は、実施例２の画像表示装置の概念図である。
【図６】図６は、実施例３の画像表示装置の概念図である。
【図７】図７は、実施例４の画像表示装置の概念図である。
【図８】図８は、実施例５の画像表示装置を構成する導光板等の配置状態を示す概念図である。
【図９】図９（Ａ）及び（Ｂ）は、実施例６の画像表示装置を構成する導光板における光の伝播を模式的に示す図、及び、導光板等の配置状態を示す概念図である。
【図１０】図１０は、実施例６の頭部装着型ディスプレイを横から眺めた模式図である。
【図１１】図１１（Ａ）及び（Ｂ）は、実施例７の画像表示装置を構成する導光板における光の伝播を模式的に示す図、及び、導光板等の配置状態を示す概念図である。
【図１２】図１２は、実施例８の頭部装着型ディスプレイを横から眺めた模式図である。
【図１３】図１３の（Ａ）及び（Ｂ）は、実施例の頭部装着型ディスプレイを装着した観察者の頭部が傾いても観察者が水平に保持された画像を観察することができることを模式的に示す図である。
【図１４】図１４の（Ａ）及び（Ｂ）は、それぞれ、実施例１及び実施例５の画像表示装置を構成する導光板等の変形例の配置状態を示す概念図である。
【図１５】図１５は、実施例１の頭部装着型ディスプレイの一形式を横から眺めた模式図である。
【発明を実施するための形態】
【００１５】
以下、図面を参照して、実施例に基づき本発明を説明するが、本発明は実施例に限定されるものではなく、実施例における種々の数値や材料は例示である。尚、説明は、以下の順序で行う。
１．本発明の画像表示装置、並びに、本発明の第１の態様及び第２の態様に係る頭部装着型ディスプレイ、全般に関する説明
２．実施例１（本発明の画像表示装置、及び、本発明の第１の態様に係る頭部装着型ディスプレイ）
３．実施例２（実施例１の変形）
４．実施例３（実施例１の別の変形）
５．実施例４（実施例１の別の変形）
６．実施例５（実施例１〜実施例４の変形）
７．実施例６（実施例１〜実施例５の変形）
８．実施例７（実施例６の別の変形）
９．実施例８（本発明の第２の態様に係る頭部装着型ディスプレイ、その他）
【００１６】
［本発明の画像表示装置、並びに、本発明の第１の態様及び第２の態様に係る及び頭部装着型ディスプレイ、全般に関する説明］
本発明の画像表示装置、あるいは、本発明の第１の態様に係る頭部装着型ディスプレイにおける画像表示装置（以下、これらを総称して、単に、『本発明の画像表示装置等』と呼ぶ）において、支持部材は、画像形成装置を光学装置及び光学系に対して回動自在に支持する構成とすることができる。そして、このような構成にあっては、
支持部材は、第１円筒部材、第２円筒部材、並びに、第１円筒部材と第２円筒部材との間に配され、第１円筒部材と第２円筒部材とを相対的に回動させる回動部材を備えており、
第１円筒部材内に、画像形成装置が配置されており、
第２円筒部材内に、光学系が配置されており、
光学装置は、第２円筒部材に取り付けられている形態とすることができる。
【００１７】
尚、第１円筒部材内への画像形成装置の配置は、画像形成装置を適切な取付手段・取付方法で第１円筒部材の内面に取り付ければよい。また、第２円筒部材内への光学系の配置は、光学系を適切な取付手段・取付方法で第２円筒部材の内面に取り付ければよい。更には、第２円筒部材の光学装置への取付けは、第２円筒部材を適切な取付手段・取付方法で光学装置に取り付ければよい。支持部材、より具体的には、第２円筒部材をフレームに取り付ければよいが、係る取り付けも適切な取付手段・取付方法を用いればよく、支持部材、より具体的には、第２円筒部材を、フレーム（より具体的には、テンプル部やフロント部、リム部）に固定してもよいし、フレーム（より具体的には、テンプル部やフロント部、リム部）へ着脱自在に取り付けてもよい。
【００１８】
あるいは又、本発明の画像表示装置等において、支持部材は、画像形成装置及び光学系を光学装置に対して回動自在に支持する構成とすることができる。そして、このような構成にあっては、
支持部材は、第１円筒部材、第２円筒部材、並びに、第１円筒部材と第２円筒部材との間に配され、第１円筒部材と第２円筒部材とを相対的に回動させる回動部材を備えており、
第１円筒部材内に、画像形成装置及び光学系が配置されており、
光学装置は、第２円筒部材に取り付けられている形態とすることができる。
【００１９】
尚、第１円筒部材内への画像形成装置及び光学系の配置は、画像形成装置及び光学系を適切な取付手段・取付方法で第１円筒部材の内面に取り付ければよい。また、第２円筒部材の光学装置への取付けは、第２円筒部材を適切な取付手段・取付方法で光学装置に取り付ければよい。支持部材、より具体的には、第２円筒部材をフレームに取り付ければよいが、係る取り付けも適切な取付手段・取付方法を用いればよく、支持部材、より具体的には、第２円筒部材を、フレーム（より具体的には、テンプル部やフロント部、リム部）に固定してもよいし、フレーム（より具体的には、テンプル部やフロント部、リム部）へ着脱自在に取り付けてもよい。
【００２０】
本発明の画像表示装置等において、少なくとも画像形成装置と支持部材との組立体は、支持部材の回動中心軸から離れた（偏心した）位置に重心を有するが、具体的には、組立体の重心が支持部材の回動中心軸上に位置しないように、画像形成装置等を支持部材によって支持すればよい。また、本発明の第２の態様に係る頭部装着型ディスプレイにおいて、画像形成装置は、支持部材の回動中心軸から離れた（偏心した）位置に重心を有するが、具体的には、画像形成装置の重心が支持部材の回動中心軸上に位置しないように、画像形成装置を支持部材によって支持すればよい。即ち、本発明の画像表示装置等において、より具体的には、支持部材の重心は支持部材の回動中心軸と一致し、画像形成装置の重心は支持部材の回動中心軸から離れて位置する形態とすることもできるし、画像形成装置の重心は支持部材の回動中心軸と一致し、支持部材の重心は支持部材の回動中心軸から離れて位置する形態とすることもできるし、画像形成装置と支持部材との組立体全体の重心が支持部材の回動中心軸から離れて位置する形態とすることもできる。また、本発明の第２の態様に係る頭部装着型ディスプレイにおいて、具体的には、支持部材の重心は支持部材の回動中心軸と一致し、画像形成装置の重心は支持部材の回動中心軸から離れて位置する形態とすることもできるし、画像形成装置の重心は支持部材の回動中心軸と一致し、支持部材の重心は支持部材の回動中心軸から離れて位置する形態とすることもできるし、画像形成装置と支持部材との組立体全体の重心が支持部材の回動中心軸から離れて位置する形態とすることもできる。
【００２１】
本発明の画像表示装置等において、支持部材を構成する第１円筒部材及び第２円筒部材は、例えば、プラスチックや金属から作製すればよく、第１円筒部材及び第２円筒部材の大きさ（直径及び長さ）は、画像形成装置、光学系、光学装置、頭部装着型ディスプレイ全体の大きさ等を考慮して、適宜、決定すればよい。第１円筒部材と第２円筒部材とは、回動部材を介して入れ子状に配置すればよい。第１円筒部材が第２円筒部材に被さるように第１円筒部材と第２円筒部材とを配置してもよいし、第２円筒部材が第１円筒部材に被さるように第１円筒部材と第２円筒部材とを配置してもよい。第１円筒部材と第２円筒部材との間に配された回動部材は、例えば、玉軸受け（ボール軸受け、ボールベアリング）、スラスト軸受け（スラストベアリング）、ころ軸受け、すべり軸受けから構成することができる。
【００２２】
本発明の第２の態様に係る頭部装着型ディスプレイにおける支持部材も、例えば、プラスチックや金属から作製された第１円筒部材及び第２円筒部材から構成すればよく、第１円筒部材及び第２円筒部材の大きさ（直径及び長さ）は、画像形成装置、頭部装着型ディスプレイ全体の大きさ等を考慮して、適宜、決定すればよい。第１円筒部材と第２円筒部材との間に、上記と同様の回動部材を配置することで、第１円筒部材と第２円筒部材とを相対的に回動させることができる。第１円筒部材と第２円筒部材とは、回動部材を介して入れ子状に配置すればよい。第１円筒部材が第２円筒部材に被さるように第１円筒部材と第２円筒部材とを配置してもよいし、第２円筒部材が第１円筒部材に被さるように第１円筒部材と第２円筒部材とを配置してもよい。第１円筒部材内へ画像形成装置を配置すればよく、第１円筒部材内への画像形成装置の配置は、画像形成装置を適切な取付手段・取付方法で第１円筒部材の内面に取り付ければよい。また、支持部材によって、画像形成装置は、フレームに対して回動自在に、フレームに取り付けられているが、具体的には、第２円筒部材をフレームに取り付ければよく、フレームへの取付けは、より具体的には、第２円筒部材を適切な取付手段・取付方法でフレームに取り付ければよい。支持部材を、フレーム（より具体的には、テンプル部やフロント部、リム部）に固定してもよいし、フレーム（より具体的には、テンプル部やフロント部、リム部）へ着脱自在に取り付けてもよい。
【００２３】
第１円筒部材と第２円筒部材との過度の相対的な回動を抑制するために、適切な回動制御手段（一種のブレーキ）を回動手段が備えている構成、あるいは、第１円筒部材と第２円筒部材との間に適切な回動制御手段（一種のブレーキ）を配置する構成とすることもできる。
【００２４】
本発明の画像表示装置等において、画像形成装置の中心から出射され、光学系の画像形成装置側節点を通過した中心光線が光学装置に入射する点を光学装置中心点とする。また、光学装置中心点を通過し、光学装置の軸線方向と平行な軸線をＸ軸、光学装置中心点を通過し、光学装置の法線と一致する軸線をＹ軸とする。
【００２５】
本発明の画像表示装置等において、中心光線は、ＸＹ平面と０度以外の角度（θ）で交わる構成とすることができ、これによって、画像表示装置を眼鏡型のフレームの取付部に取り付けるときの画像表示装置の取付け角度に対する制限が少なくなり、高いデザイン自由度を得ることができる。そして、この場合、中心光線はＹＺ平面に含まれる形態とすることが、画像表示装置の取り扱いや設定、取付けの容易さといった観点から、好ましい。また、光学系の光軸は、ＹＺ平面に含まれ、且つ、ＸＹ平面と０度以外の角度で交わる構成とすることができ、あるいは又、光学系の光軸は、ＹＺ平面と平行であり、ＸＹ平面と平行であり、且つ、画像形成装置の中心から外れた位置を通過する構成とすることができる。また、ＸＹ平面が水平面と一致すると仮定したとき、中心光線がＸＹ平面と交わる角度θは仰角である構成とすることができる。即ち、ＸＹ平面の下側から中心光線がＸＹ平面に向い、ＸＹ平面と衝突する。そして、この場合、ＸＹ平面は垂直面と０度以外の角度で交わることが好ましく、更には、ＸＹ平面は垂直面と角度θで交わることが好ましい。尚、θの最大値として、限定するものではないが、５度を挙げることができる。ここで、水平面とは、観察者が、水平方向に位置する対象物（例えば、水平方向、無限遠方の対象物、地平線や水平線）を眺めたときの視線（『観察者の水平方向視線』）が含まれ、且つ、水平に位置する観察者の２つの瞳が含まれる平面である。また、垂直面は、この水平面に対して垂直な平面である。あるいは又、観察者が、水平方向に位置する対象物（例えば、水平方向、無限遠方の対象物、地平線や水平線）を眺めたとき、光学装置から出射され、観察者の瞳に入射する中心光線は俯角をなす形態とすることができる。水平面に対する係る俯角として、例えば、５度乃至４５度を例示することができる。
【００２６】
以上に説明した好ましい構成、形態を含む本発明の画像表示装置等において、光学装置は、
（ａ）入射された光が内部を全反射により伝播した後、出射される導光板、
（ｂ）導光板に入射された光が導光板の内部で全反射されるように、導光板に入射された光を偏向させる第１偏向手段、及び、
（ｃ）導光板の内部を全反射により伝播した光を導光板から出射させるために、導光板の内部を全反射により伝播した光を複数回に亙り偏向させる第２偏向手段、
を備えている構成とすることができる。尚、「全反射」という用語は、内部全反射、あるいは、導光板内部における全反射を意味する。以下においても同様である。また、第１偏向手段の中心点が、光学装置中心点に相当する。
【００２７】
ここで、第１偏向手段は、導光板に入射された光を反射し、第２偏向手段は、導光板の内部を全反射により伝播した光を、複数回に亙り、透過、反射する構成とすることができる。そして、この場合、第１偏向手段は反射鏡として機能し、第２偏向手段は半透過鏡として機能する構成とすることができる。
【００２８】
このような構成において、第１偏向手段は、例えば、合金を含む金属から構成され、導光板に入射された光を反射させる光反射膜（一種のミラー）や、導光板に入射された光を回折させる回折格子（例えば、ホログラム回折格子膜）から構成することができる。また、第２偏向手段は、誘電体積層膜が多数積層された多層積層構造体や、ハーフミラー、偏光ビームスプリッター、ホログラム回折格子膜から構成することができる。そして、第１偏向手段や第２偏向手段は、導光板の内部に配設されている（導光板の内部に組み込まれている）が、第１偏向手段においては、導光板に入射された平行光が導光板の内部で全反射されるように、導光板に入射された平行光が反射又は回折される。一方、第２偏向手段においては、導光板の内部を全反射により伝播した平行光が複数回に亙り反射又は回折され、導光板から平行光の状態で出射される。
【００２９】
あるいは又、第１偏向手段は、導光板に入射された光を回折し、第２偏向手段は、導光板の内部を全反射により伝播した光を、複数回に亙り、回折する構成とすることができる。そして、この場合、第１偏向手段及び第２偏向手段は回折格子素子から成る形態とすることができ、更には、回折格子素子は、反射型回折格子素子から成り、あるいは又、透過型回折格子素子から成り、あるいは又、一方の回折格子素子は反射型回折格子素子から成り、他方の回折格子素子は透過型回折格子素子から成る構成とすることができる。尚、反射型回折格子素子として、反射型体積ホログラム回折格子を挙げることができる。反射型体積ホログラム回折格子から成る第１偏向手段を、便宜上、『第１回折格子部材』と呼び、反射型体積ホログラム回折格子から成る第２偏向手段を、便宜上、『第２回折格子部材』と呼ぶ場合がある。
【００３０】
本発明の画像表示装置等によって、カラーの画像表示を行う場合、第１回折格子部材あるいは第２回折格子部材を、異なるＰ種類（例えば、Ｐ＝３であり、赤色、緑色、青色の３種類）の波長帯域（あるいは、波長）を有するＰ種類の光の回折反射に対応させるために、反射型体積ホログラム回折格子から成るＰ層の回折格子層が積層されて成る構成とすることができる。各回折格子層には１種類の波長帯域（あるいは、波長）に対応する干渉縞が形成されている。あるいは又、異なるＰ種類の波長帯域（あるいは、波長）を有するＰ種類の光の回折反射に対応するために、１層の回折格子層から成る第１回折格子部材あるいは第２回折格子部材にＰ種類の干渉縞が形成されている構成とすることもできる。あるいは又、画角を例えば三等分して、第１回折格子部材あるいは第２回折格子部材を、各画角に対応する回折格子層が積層されて成る構成とすることができる。そして、これらの構成を採用することで、各波長帯域（あるいは、波長）を有する光が第１回折格子部材あるいは第２回折格子部材において回折反射されるときの回折効率の増加、回折受容角の増加、回折角の最適化を図ることができる。
【００３１】
第１回折格子部材及び第２回折格子部材を構成する材料として、フォトポリマー材料を挙げることができる。反射型体積ホログラム回折格子から成る第１回折格子部材及び第２回折格子部材の構成材料や基本的な構造は、従来の反射型体積ホログラム回折格子の構成材料や構造と同じとすればよい。反射型体積ホログラム回折格子とは、＋１次の回折光のみを回折反射するホログラム回折格子を意味する。回折格子部材には、その内部から表面に亙り干渉縞が形成されているが、係る干渉縞それ自体の形成方法は、従来の形成方法と同じとすればよい。具体的には、例えば、回折格子部材を構成する部材（例えば、フォトポリマー材料）に対して一方の側の第１の所定の方向から物体光を照射し、同時に、回折格子部材を構成する部材に対して他方の側の第２の所定の方向から参照光を照射し、物体光と参照光とによって形成される干渉縞を回折格子部材を構成する部材の内部に記録すればよい。第１の所定の方向、第２の所定の方向、物体光及び参照光の波長を適切に選択することで、回折格子部材の表面における干渉縞の所望のピッチ、干渉縞の所望の傾斜角（スラント角）を得ることができる。干渉縞の傾斜角とは、回折格子部材（あるいは回折格子層）の表面と干渉縞の成す角度を意味する。第１回折格子部材及び第２回折格子部材を、反射型体積ホログラム回折格子から成るＰ層の回折格子層の積層構造から構成する場合、このような回折格子層の積層は、Ｐ層の回折格子層をそれぞれ別個に作製した後、Ｐ層の回折格子層を、例えば、紫外線硬化型接着剤を使用して積層（接着）すればよい。また、粘着性を有するフォトポリマー材料を用いて１層の回折格子層を作製した後、その上に順次粘着性を有するフォトポリマー材料を貼り付けて回折格子層を作製することで、Ｐ層の回折格子層を作製してもよい。
【００３２】
あるいは又、本発明の画像表示装置等において、光学装置は、画像形成装置から出射された光が入射され、観察者の瞳に向かって出射される半透過ミラーから構成されている形態とすることができる。尚、画像形成装置から出射された光は、空気中を伝播して半透過ミラーに入射する構造としてもよいし、例えば、ガラス板やプラスチック板等の透明な部材（具体的には、後述する導光板を構成する材料と同様の材料から成る部材）の内部を伝播して半透過ミラーに入射する構造としてもよい。尚、半透過ミラーを、この透明な部材を介して画像形成装置に取り付けてもよいし、半透過ミラーを、この透明な部材とは別の部材を介して画像形成装置に取り付けてもよい。
【００３３】
以上に説明した各種の好ましい形態、構成を含む本発明の画像表示装置等において、画像形成装置は、２次元マトリクス状に配列された複数の画素を有する形態とすることができる。尚、このような画像形成装置の構成を、便宜上、『第１の構成の画像形成装置』と呼ぶ。
【００３４】
第１の構成の画像形成装置として、例えば、反射型空間光変調装置及び光源から構成された画像形成装置；透過型空間光変調装置及び光源から構成された画像形成装置；有機ＥＬ（Electro Luminescence）、無機ＥＬ、発光ダイオード（ＬＥＤ）等の発光素子から構成された画像形成装置を挙げることができるが、中でも、反射型空間光変調装置及び光源から構成された画像形成装置とすることが好ましい。空間光変調装置として、ライト・バルブ、例えば、ＬＣＯＳ（Liquid Crystal On Silicon）等の透過型あるいは反射型の液晶表示装置、デジタルマイクロミラーデバイス（ＤＭＤ）を挙げることができ、光源として発光素子を挙げることができる。更には、反射型空間光変調装置は、液晶表示装置、及び、光源からの光の一部を反射して液晶表示装置へと導き、且つ、液晶表示装置によって反射された光の一部を通過させて光学系へと導く偏光ビームスプリッターから成る構成とすることができる。光源を構成する発光素子として、赤色発光素子、緑色発光素子、青色発光素子、白色発光素子を挙げることができるし、あるいは又、赤色発光素子、緑色発光素子及び青色発光素子から出射された赤色光、緑色光及び青色光をライトパイプを用いて混色、輝度均一化を行うことで白色光を得てもよい。発光素子として、例えば、半導体レーザ素子や固体レーザ、ＬＥＤを例示することができる。画素の数は、画像表示装置に要求される仕様に基づき決定すればよく、画素の数の具体的な値として、３２０×２４０、４３２×２４０、６４０×４８０、１０２４×７６８、１９２０×１０８０等を例示することができる。光源を下側に配置することで、画像形成装置の重心を支持部材の回動中心軸から離れて位置させることができる。
【００３５】
あるいは又、以上に説明した好ましい形態、構成を含む本発明の画像表示装置等において、画像形成装置は、光源、及び、光源から出射された平行光を走査する走査手段を備えた形態とすることができる。尚、このような画像形成装置の構成を、便宜上、『第２の構成の画像形成装置』と呼ぶ。
【００３６】
第２の構成の画像形成装置における光源として発光素子を挙げることができ、具体的には、赤色発光素子、緑色発光素子、青色発光素子、白色発光素子を挙げることができるし、あるいは又、赤色発光素子、緑色発光素子及び青色発光素子から出射された赤色光、緑色光及び青色光をライトパイプを用いて混色、輝度均一化を行うことで白色光を得てもよい。発光素子として、例えば、半導体レーザ素子や固体レーザ、ＬＥＤを例示することができる。第２の構成の画像形成装置における画素（仮想の画素）の数も、画像表示装置に要求される仕様に基づき決定すればよく、画素（仮想の画素）の数の具体的な値として、３２０×２４０、４３２×２４０、６４０×４８０、１０２４×７６８、１９２０×１０８０等を例示することができる。また、カラーの画像表示を行う場合であって、光源を赤色発光素子、緑色発光素子、青色発光素子から構成する場合、例えば、クロスプリズムを用いて色合成を行うことが好ましい。走査手段として、光源から出射された光を水平走査及び垂直走査する、例えば、二次元方向に回転可能なマイクロミラーを有するＭＥＭＳ（Micro Electro Mechanical Systems）やガルバノ・ミラーを挙げることができる。光源を下側に配置することで、画像形成装置の重心を支持部材の回動中心軸から離れて位置させることができる。
【００３７】
第１の構成の画像形成装置あるいは第２の構成の画像形成装置において、光学系（出射光を平行光とする光学系であり、『平行光出射光学系』と呼ぶ場合があり、具体的には、例えば、コリメート光学系やリレー光学系）にて複数の平行光とされた光を導光板に入射させるが、このような、平行光であることの要請は、これらの光が導光板へ入射したときの光波面情報が、第１偏向手段と第２偏向手段を介して導光板から出射された後も保存される必要があることに基づく。尚、複数の平行光を生成させるためには、具体的には、例えば、平行光出射光学系における焦点距離の所（位置）に、例えば、画像形成装置の光出射部を位置させればよい。平行光出射光学系は、画素の位置情報を光学装置の光学系における角度情報に変換する機能を有する。平行光出射光学系として、凸レンズ、凹レンズ、自由曲面プリズム、ホログラムレンズを、単独、若しくは、組み合わせた、全体として正の光学的パワーを持つ光学系を例示することができる。平行光出射光学系と導光板との間には、平行光出射光学系から不所望の光が出射されて導光板に入射しないように、開口部を有する遮光部材を配置してもよい。
【００３８】
導光板は、導光板の軸線（Ｘ軸）と平行に延びる２つの平行面（第１面及び第２面）を有している。光が入射する導光板の面を導光板入射面、光が出射する導光板の面を導光板出射面としたとき、第１面によって導光板入射面及び導光板出射面が構成されていてもよいし、第１面によって導光板入射面が構成され、第２面によって導光板出射面が構成されていてもよい。導光板を構成する材料として、石英ガラスやＢＫ７等の光学ガラスを含むガラスや、プラスチック材料（例えば、ＰＭＭＡ、ポリカーボネート樹脂、アクリル系樹脂、非晶性のポリプロピレン系樹脂、ＡＳ樹脂を含むスチレン系樹脂）を挙げることができる。導光板の形状は、平板に限定するものではなく、湾曲した形状を有していてもよい。
【００３９】
本発明の第２の態様に係る頭部装着型ディスプレイにおける画像形成装置として、例えば、透過型空間光変調装置及び光源から構成された画像形成装置、具体的には、透過型の液晶表示装置を挙げることができる。画素の数は、画像形成装置に要求される仕様に基づき決定すればよく、画素の数の具体的な値として、３２０×２４０、４３２×２４０、６４０×４８０、１０２４×７６８、１９２０×１０８０等を例示することができる。
【００４０】
本発明の画像表示装置によって、例えば、頭部装着型ディスプレイを構成することができ、装置の軽量化、小型化を図ることができ、装置装着時の不快感を大幅に軽減させることが可能となるし、更には、製造コストダウンを図ることも可能となる。
【００４１】
以上に説明した好ましい形態、構成を含む本発明の第１の態様あるいは第２の態様に係る頭部装着型ディスプレイにおいて、フレームは、観察者の正面に配置されるフロント部と、フロント部の両端に蝶番を介して回動自在に取り付けられた２つのテンプル部とから成る構成とすることができる。尚、各テンプル部の先端部にはモダン部が取り付けられている。
【００４２】
更には、上述した各種の構成、形態を含む本発明の頭部装着型ディスプレイにおいては、ノーズパッドが取り付けられている構成とすることができる。即ち、本発明の頭部装着型ディスプレイの全体を眺めたとき、フレーム及びノーズパッドの組立体は、通常の眼鏡と略同じ構造を有する。尚、リム部は、有っても、無くともよい。フレームを構成する材料は、金属や合金、プラスチック、これらの組合せといった、通常の眼鏡を構成する材料と同じ材料から構成することができる。ノーズパッドも周知の構成、構造とすることができる。
【００４３】
本発明の頭部装着型ディスプレイは、デザイン上、あるいは、装着の容易性といった観点から、１つあるいは２つの画像形成装置からの配線（信号線や電源線等）が、テンプル部、及び、モダン部の内部を介して、モダン部の先端部から外部に延び、外部回路（制御回路）に接続されている形態とすることが望ましい。更には、各画像形成装置はヘッドホン部を備えており、各画像形成装置からのヘッドホン部用配線が、テンプル部、及び、モダン部の内部を介して、モダン部の先端部からヘッドホン部へと延びている形態とすることもできる。ヘッドホン部として、例えば、インナーイヤー型のヘッドホン部、カナル型のヘッドホン部を挙げることができる。ヘッドホン部用配線は、より具体的には、モダン部の先端部から、耳介（耳殻）の後ろ側を回り込むようにしてヘッドホン部へと延びている形態とすることが好ましい。
【００４４】
本発明の頭部装着型ディスプレイは、例えば、映画の字幕の表示、芝居や歌舞伎、能、狂言、オペラ、音楽会、バレー、各種演劇、遊園地（アミューズメントパーク）、美術館、観光地、行楽地、観光案内等における各種説明等の表示；各種装置の運転、操作、保守、分解時等における各種説明や、記号、符号、印、標章、図案等の表示；人物や物品等の対象物に関する各種説明や、記号、符号、印、標章、図案等の表示；クローズド・キャプションの表示に用いることができる。
【実施例１】
【００４５】
実施例１は、本発明の画像表示装置及び本発明の第１の態様に係る頭部装着型ディスプレイに関する。実施例１の画像表示装置の概念図を図１に示し、実施例１の画像表示装置を構成する導光板における光の伝播を模式的に図２の（Ａ）に示し、実施例１の画像表示装置を構成する導光板等の配置状態を示す概念図を図２の（Ｂ）に示す。更には、実施例１の頭部装着型ディスプレイを上方から眺めた模式図を図３に示し、横から眺めた模式図を図４に示す。
【００４６】
実施例１あるいは後述する実施例２〜実施例７における画像表示装置１００，２００，３００，４００は、
（Ａ）画像形成装置１１１，２１１、
（Ｂ）画像形成装置１１１，２１１から出射された光を平行光とする光学系（平行光出射光学系）１１２，２５４、
（Ｃ）光学系１１２，２５４にて平行光とされた光束が入射され、導光され、出射される光学装置１２０，３２０、及び、
（Ｄ）少なくとも画像形成装置１１１，２１１を光学装置１２０，３２０に対して回動自在に支持する支持部材５００，６００、
を備えている。
【００４７】
また、実施例１あるいは後述する実施例２〜実施例７の頭部装着型ディスプレイは、
（イ）観察者の頭部に装着される眼鏡型のフレーム１０、及び、
（ロ）フレーム１０に取り付けられた画像表示装置１００，２００，３００，４００、
を備えている。尚、実施例の頭部装着型ディスプレイは、具体的には、２つの画像表示装置を備えた両眼型としたが、１つ備えた片眼型としてもよい。また、画像形成装置１１１，２１１は、単色の画像を表示する。
【００４８】
そして、実施例１あるいは後述する実施例２〜実施例７にあっては、少なくとも画像形成装置と支持部材５００，６００との組立体は、支持部材５００，６００の回動中心軸ＡＸから離れた位置に重心ＣＧを有し、重力によって、少なくとも画像形成装置１１１，２１１を光学装置１２０，３２０に対して回動させ、以て、画像形成装置１１１，２１１を水平に保持する。尚、図２の（Ｂ）、図８、図１２、図１４の（Ａ）及び（Ｂ）において、支持部材５００，６００の回動中心軸ＡＸを点線で示し、重心ＣＧを通り、回動中心軸ＡＸと平行な軸線を一点鎖線で示した。
【００４９】
実施例１あるいは後述する実施例２〜実施例４において、支持部材５００は、画像形成装置１１１，２１１を光学装置１２０，３２０及び光学系１１２，２５４に対して回動自在に支持する。そして、支持部材５００は、第１円筒部材５０１、第２円筒部材５０２、並びに、第１円筒部材５０１と第２円筒部材５０２との間に配され、第１円筒部材５０１と第２円筒部材５０２とを相対的に回動させる回動部材５０３を備えている。更には、第１円筒部材５０１内に、画像形成装置１１１，２１１が配置されており、第２円筒部材５０２内に、光学系１１２，２５４が配置されており、光学装置１２０，３２０は、第２円筒部材５０２に取り付けられている。
【００５０】
第１円筒部材５０１及び第２円筒部材５０２は、例えば、プラスチックや金属から作製されている。第１円筒部材５０１及び第２円筒部材５０２の大きさ（直径及び長さ）は、画像形成装置１１１，２１１、光学系１１２，２５４、光学装置１２０，３２０、頭部装着型ディスプレイ全体の大きさ等を考慮して、適宜、決定すればよい。第１円筒部材５０１と第２円筒部材５０２とは、玉軸受け（ボール軸受け、ボールベアリング）から成る回動部材５０３を介して入れ子状に配置されている。
【００５１】
尚、第１円筒部材５０１内への画像形成装置１１１，２１１の配置は、画像形成装置１１１，２１１を適切な取付手段・取付方法で第１円筒部材５０１の内面に取り付ければよく、具体的には、画像形成装置１１１，２１１を格納した筐体１１３Ａ，２１３Ａを第１円筒部材５０１の内面に嵌合させる方法で取り付けた。また、第２円筒部材５０２内への光学系１１２，２５４の配置は、光学系１１２，２５４を適切な取付手段・取付方法で第２円筒部材５０２の内面に取り付ければよく、具体的には、光学系１１２，２５４を格納した筐体１１３Ｂ，２１３Ｂを第２円筒部材５０２の内面に嵌合させる方法で取り付けた。支持部材５００、より具体的には、第２円筒部材５０２をフレーム１０に取り付けるが、具体的には、支持部材５００、より具体的には、第２円筒部材５０２を、フレーム１０（より具体的には、テンプル部１３）に固定した。尚、テンプル部１３へ着脱自在に取り付けてもよい。光学装置１２０，３２０とフレーム１０との間に相対的な動きは無い。即ち、フレーム１０に対して光学装置１２０，３２０は静止した状態に置かれる。
【００５２】
実施例１あるいは後述する実施例２〜実施例７において、少なくとも画像形成装置１１１，２１１と支持部材５００，６００との組立体は、支持部材５００，６００の回動中心軸ＡＸから離れた（偏心した）位置に重心ＣＧを有するが、具体的には、組立体の重心ＣＧが支持部材５００，６００の回動中心軸ＡＸ上に位置しないように、画像形成装置１１１，２１１等を支持部材５００，６００によって支持する。
【００５３】
実施例１あるいは後述する実施例２〜実施例７において、画像形成装置１１１，２１１の中心から出射され、光学系１１２，２５４の画像形成装置側節点を通過した中心光線ＣＬが光学装置１２０，３２０に入射する点を光学装置中心点Ｏとし、光学装置中心点Ｏを通過し、光学装置１２０，３２０の軸線方向と平行な軸線をＸ軸、光学装置中心点Ｏを通過し、光学装置１２０，３２０の法線と一致する軸線をＹ軸とする。
【００５４】
実施例１あるいは後述する実施例２〜実施例７における光学装置１２０，３２０は、
（ａ）入射された光が内部を全反射により伝播した後、出射される導光板１２１，３２１、
（ｂ）導光板１２１，３２１に入射された光が導光板１２１，３２１の内部で全反射されるように、導光板１２１，３２１に入射された光を偏向させる第１偏向手段１３０，３３０、及び、
（ｃ）導光板１２１，３２１の内部を全反射により伝播した光を導光板１２１，３２１から出射させるために、導光板１２１，３２１の内部を全反射により伝播した光を複数回に亙り偏向させる第２偏向手段１４０，３４０、
を備えている。そして、第１偏向手段１３０，３３０の中心点が、光学装置中心点Ｏである。光学装置１２０，３２０は、シースルー型（半透過型）である。
【００５５】
ここで、実施例１にあっては、第１偏向手段１３０及び第２偏向手段１４０は導光板１２１の内部に配設されている。そして、第１偏向手段１３０は、導光板１２１に入射された光を反射し、第２偏向手段１４０は、導光板１２１の内部を全反射により伝播した光を、複数回に亙り、透過、反射する。即ち、第１偏向手段１３０は反射鏡として機能し、第２偏向手段１４０は半透過鏡として機能する。より具体的には、導光板１２１の内部に設けられた第１偏向手段１３０は、アルミニウム（Ａｌ）から成り、導光板１２１に入射された光を反射させる光反射膜（一種のミラー）から構成されている。一方、導光板１２１の内部に設けられた第２偏向手段１４０は、誘電体積層膜が多数積層された多層積層構造体から構成されている。誘電体積層膜は、例えば、高誘電率材料としてのＴｉＯ2膜、及び、低誘電率材料としてのＳｉＯ2膜から構成されている。誘電体積層膜が多数積層された多層積層構造体に関しては、特表２００５−５２１０９９に開示されている。図面においては６層の誘電体積層膜を図示しているが、これに限定するものではない。誘電体積層膜と誘電体積層膜との間には、導光板１２１を構成する材料と同じ材料から成る薄片が挟まれている。尚、第１偏向手段１３０においては、導光板１２１に入射された平行光が導光板１２１の内部で全反射されるように、導光板１２１に入射された平行光が反射（又は回折）される。一方、第２偏向手段１４０においては、導光板１２１の内部を全反射により伝播した平行光が複数回に亙り反射（又は回折）され、導光板１２１から平行光の状態で、観察者の瞳４１に向かって出射される。
【００５６】
第１偏向手段１３０は、導光板１２１の第１偏向手段１３０を設ける部分１２４を切り出すことで、導光板１２１に第１偏向手段１３０を形成すべき斜面を設け、係る斜面に光反射膜を真空蒸着した後、導光板１２１の切り出した部分１２４を第１偏向手段１３０に接着すればよい。また、第２偏向手段１４０は、導光板１２１を構成する材料と同じ材料（例えば、ガラス）と誘電体積層膜（例えば、真空蒸着法にて成膜することができる）とが多数積層された多層積層構造体を作製し、導光板１２１の第２偏向手段１４０を設ける部分１２５を切り出して斜面を形成し、係る斜面に多層積層構造体を接着し、研磨等を行って、外形を整えればよい。こうして、導光板１２１の内部に第１偏向手段１３０及び第２偏向手段１４０が設けられた光学装置１２０を得ることができる。
【００５７】
ここで、実施例１あるいは後述する実施例２〜実施例７において、光学ガラスやプラスチック材料から成る導光板１２１，３２１は、導光板１２１，３２１の内部全反射による光伝播方向（Ｘ軸）と平行に延びる２つの平行面（第１面１２２，３２２及び第２面１２３，３２３）を有している。第１面１２２，３２２と第２面１２３，３２３とは対向している。そして、光入射面に相当する第１面１２２，３２２から平行光が入射され、内部を全反射により伝播した後、光出射面に相当する第１面１２２，３２２から出射される。但し、これに限定するものではなく、第２面１２３，３２３によって光入射面が構成され、第１面１２２，３２２によって光出射面が構成されていてもよい。
【００５８】
実施例１あるいは後述する実施例３において、画像形成装置１１１は、第１の構成の画像形成装置であり、２次元マトリクス状に配列された複数の画素を有する。具体的には、画像形成装置１１１は、反射型空間光変調装置１５０、及び、白色光を出射する発光ダイオードから成る光源１５３から構成されている。各画像形成装置１１１全体は、筐体１１３Ａ（図１では、一点鎖線で示す）内に納められており、光学系１１２は、筐体１１３Ｂ（図１では、一点鎖線で示す）に納められており、係る筐体１１３Ｂには開口部（図示せず）が設けられており、開口部を介して光学系（平行光出射光学系，コリメート光学系）１１２から光が出射される。反射型空間光変調装置１５０は、ライト・バルブとしてのＬＣＯＳから成る液晶表示装置（ＬＣＤ）１５１、及び、光源１５３からの光の一部を反射して液晶表示装置１５１へと導き、且つ、液晶表示装置１５１によって反射された光の一部を通過させて光学系１１２へと導く偏光ビームスプリッター１５２から構成されている。液晶表示装置１５１は、２次元マトリクス状に配列された複数（例えば、６４０×４８０個）の画素（液晶セル）を備えている。偏光ビームスプリッター１５２は、周知の構成、構造を有する。光源１５３から出射された無偏光の光は、偏光ビームスプリッター１５２に衝突する。偏光ビームスプリッター１５２において、Ｐ偏光成分は通過し、系外に出射される。一方、Ｓ偏光成分は、偏光ビームスプリッター１５２において反射され、液晶表示装置１５１に入射し、液晶表示装置１５１の内部で反射され、液晶表示装置１５１から出射される。ここで、液晶表示装置１５１から出射した光の内、「白」を表示する画素から出射した光にはＰ偏光成分が多く含まれ、「黒」を表示する画素から出射した光にはＳ偏光成分が多く含まれる。従って、液晶表示装置１５１から出射され、偏光ビームスプリッター１５２に衝突する光の内、Ｐ偏光成分は、偏光ビームスプリッター１５２を通過し、光学系１１２へと導かれる。一方、Ｓ偏光成分は、偏光ビームスプリッター１５２において反射され、光源１５３に戻される。光学系１１２は、例えば、凸レンズから構成され、平行光を生成させるために、光学系１１２における焦点距離の所（位置）に画像形成装置１１１（より具体的には、液晶表示装置１５１）が配置されている。光源１５３は、液晶表示装置１５１の下側に配置されている。
【００５９】
フレーム１０は、観察者の正面に配置されるフロント部１１と、フロント部１１の両端に蝶番１２を介して回動自在に取り付けられた２つのテンプル部１３と、各テンプル部１３の先端部に取り付けられたモダン部（先セル、耳あて、イヤーパッドとも呼ばれる）１４から成る。また、ノーズパッド（図示せず）が取り付けられている。更には、筐体１１３Ｂ，２１３Ｂが、取付け部材１８によって、着脱自在に、テンプル部１３に取り付けられている。フレーム１０は、金属又はプラスチックから作製されている。尚、支持部材５００，６００は、取付け部材１８によってテンプル部１３に固定した状態にて取り付けられていてもよい。また、眼鏡を所有し、装着している観察者に対しては、観察者の所有する眼鏡のフレームのテンプル部に、支持部材を取付け部材１８によって着脱自在に取り付けてもよい。
【００６０】
更には、一方の画像形成装置１１１Ａから延びる配線（信号線や電源線等）１５が、テンプル部１３、及び、モダン部１４の内部を介して、モダン部１４の先端部から外部に延びている。更には、各画像形成装置１１１Ａ，１１１Ｂはヘッドホン部１６を備えており、各画像形成装置１１１Ａ，１１１Ｂから延びるヘッドホン部用配線１７が、テンプル部１３、及び、モダン部１４の内部を介して、モダン部１４の先端部からヘッドホン部１６へと延びている。ヘッドホン部用配線１７は、より具体的には、モダン部１４の先端部から、耳介（耳殻）の後ろ側を回り込むようにしてヘッドホン部１６へと延びている。このような構成にすることで、ヘッドホン部１６やヘッドホン部用配線１７が乱雑に配置されているといった印象を与えることがなく、すっきりとした頭部装着型ディスプレイとすることができる。
【００６１】
実施例１の画像表示装置１００にあっては、画像形成装置１１１と支持部材５００との組立体は、支持部材５００の回動中心軸ＡＸから離れた位置に重心ＣＧを有し、重力によって、画像形成装置１１１を光学装置１２０に対して回動させ、画像形成装置１１１を水平に保持する。従って、簡素な構成、構造にて、頭部装着型ディスプレイを装着した観察者の頭部が傾いても観察者が水平に保持された画像を観察することができる。図１３の（Ａ）及び（Ｂ）には、頭部装着型ディスプレイを装着した観察者の頭部が傾いても観察者が水平に保持された画像を観察することができることを模式的に示す。しかも、重量の増加、製造コストの増加、消費電力の増加を招くことが無いし、しかも、画像処理により表示画像を回転させる必要も無く、大きな表示領域を有する画像形成装置が不要であるし、画像形成装置の解像度を高くする必要も無い。
【実施例２】
【００６２】
実施例２は、実施例１の変形である。実施例２の頭部装着型ディスプレイにおける画像表示装置２００の概念図を図５に示すように、実施例２にあっては、画像形成装置２１１は、第２の構成の画像形成装置から構成されている。即ち、光源２５１、及び、光源２５１から出射された平行光を走査する走査手段２５３を備えている。より具体的には、画像形成装置２１１は、
（イ）光源２５１、
（ロ）光源２５１から出射された光を平行光とするコリメート光学系２５２、
（ハ）コリメート光学系２５２から出射された平行光を走査する走査手段２５３、及び、
（ニ）走査手段２５３によって走査された平行光をリレーし、出射するリレー光学系２５４、
から構成されている。尚、光源２５１、コリメート光学系２５２、走査手段２５３が筐体２１３Ａ（図５では、一点鎖線で示す）内に納められており、平行光出射光学系（リレー光学系２５４）は、筐体２１３Ｂ（図５では、一点鎖線で示す）内に納められており、係る筐体２１３Ｂには開口部（図示せず）が設けられており、開口部を介してリレー光学系２５４から光が出射される。そして、支持部材５００が、取付け部材１８によって、着脱自在に、テンプル部１３に取り付けられている。光源２５１は、コリメート光学系２５２及び走査手段２５３よりも下側に配置されている。
【００６３】
光源２５１は、白色を発光する発光素子から構成されている。そして、光源２５１から出射された光は、全体として正の光学的パワーを持つコリメート光学系２５２に入射し、平行光として出射される。そして、この平行光は、全反射ミラー２５６で反射され、マイクロミラーを二次元方向に回転自在とし、入射した平行光を２次元的に走査することができるＭＥＭＳから成る走査手段２５３によって水平走査及び垂直走査が行われ、一種の２次元画像化され、仮想の画素（画素数は、例えば、実施例１と同じとすることができる）が生成される。そして、仮想の画素からの光は、周知のリレー光学系から構成されたリレー光学系（平行光出射光学系）２５４を通過し、平行光とされた光束が光学装置１２０に入射する。
【００６４】
リレー光学系２５４にて平行光とされた光束が入射され、導光され、出射される光学装置１２０は、実施例１にて説明した光学装置と同じ構成、構造を有するので、詳細な説明は省略する。また、実施例２の頭部装着型ディスプレイも、上述したとおり、画像形成装置２１１が異なる点を除き、実質的に、実施例１の頭部装着型ディスプレイと同じ構成、構造を有するので、詳細な説明は省略する。
【実施例３】
【００６５】
実施例３も実施例１の変形である。実施例３の頭部装着型ディスプレイにおける画像表示装置３００の概念図を図６の（Ａ）に示す。また、反射型体積ホログラム回折格子の一部を拡大して示す模式的な断面図を図６の（Ｂ）に示す。実施例３にあっては、画像形成装置１１１は、実施例１と同様に、第１の構成の画像形成装置から構成されている。また、光学装置３２０は、第１偏向手段及び第２偏向手段の構成、構造が異なる点を除き、基本的な構成、構造は、実施例１の光学装置１２０と同じである。
【００６６】
実施例３にあっては、第１偏向手段及び第２偏向手段は導光板３２１の表面（具体的には、導光板３２１の第２面３２３）に配設されている。そして、第１偏向手段は、導光板３２１に入射された光を回折し、第２偏向手段は、導光板３２１の内部を全反射により伝播した光を、複数回に亙り、回折する。ここで、第１偏向手段及び第２偏向手段は、回折格子素子、具体的には反射型回折格子素子、より具体的には反射型体積ホログラム回折格子から成る。以下の説明において、反射型体積ホログラム回折格子から成る第１偏向手段を、便宜上、『第１回折格子部材３３０』と呼び、反射型体積ホログラム回折格子から成る第２偏向手段を、便宜上、『第２回折格子部材３４０』と呼ぶ。
【００６７】
そして、実施例３、あるいは、後述する実施例４にあっては、第１回折格子部材３３０及び第２回折格子部材３４０は、１層の回折格子層が積層されて成る構成としている。尚、フォトポリマー材料から成る各回折格子層には、１種類の波長帯域（あるいは、波長）に対応する干渉縞が形成されており、従来の方法で作製されている。回折格子層（回折光学素子）に形成された干渉縞のピッチは一定であり、干渉縞は直線状であり、Ｚ軸に平行である。尚、第１回折格子部材３３０及び第２回折格子部材３４０の軸線はＸ軸と平行であり、法線はＹ軸と平行である。
【００６８】
図６の（Ｂ）に反射型体積ホログラム回折格子の拡大した模式的な一部断面図を示す。反射型体積ホログラム回折格子には、傾斜角φを有する干渉縞が形成されている。ここで、傾斜角φとは、反射型体積ホログラム回折格子の表面と干渉縞の成す角度を指す。干渉縞は、反射型体積ホログラム回折格子の内部から表面に亙り、形成されている。干渉縞は、ブラッグ条件を満たしている。ここで、ブラッグ条件とは、以下の式（Ａ）を満足する条件を指す。式（Ａ）中、ｍは正の整数、λは波長、ｄは格子面のピッチ（干渉縞を含む仮想平面の法線方向の間隔）、Θは干渉縞へ入射する角度の余角を意味する。また、入射角ψにて回折格子部材に光が侵入した場合の、Θ、傾斜角φ、入射角ψの関係は、式（Ｂ）のとおりである。
【００６９】
ｍ・λ＝２・ｄ・ｓｉｎ（Θ）    （Ａ）
Θ＝９０°−（φ＋ψ）          （Ｂ）
【００７０】
第１回折格子部材３３０は、上述したとおり、導光板３２１の第２面３２３に配設（接着）されており、第１面３２２から導光板３２１に入射されたこの平行光が導光板３２１の内部で全反射されるように、導光板３２１に入射されたこの平行光を回折反射する。更には、第２回折格子部材３４０は、上述したとおり、導光板３２１の第２面３２３に配設（接着）されており、導光板３２１の内部を全反射により伝播したこの平行光を、複数回、回折反射し、導光板３２１から平行光のまま第１面３２２から出射する。
【００７１】
そして、導光板３２１にあっても、平行光が内部を全反射により伝播した後、出射される。このとき、導光板３２１が薄く導光板３２１の内部を進行する光路が長いため、各画角によって第２回折格子部材３４０に至るまでの全反射回数は異なっている。より詳細に述べれば、導光板３２１に入射する平行光のうち、第２回折格子部材３４０に近づく方向の角度をもって入射する平行光の反射回数は、第２回折格子部材３４０から離れる方向の角度をもって導光板３２１に入射する平行光の反射回数よりも少ない。これは、第１回折格子部材３３０において回折反射される平行光であって、第２回折格子部材３４０に近づく方向の角度をもって導光板３２１に入射する平行光の方が、これと逆方向の角度をもって導光板３２１に入射する平行光よりも、導光板３２１の内部を伝播していく光が導光板３２１の内面と衝突するときの導光板３２１の法線と成す角度が小さくなるからである。また、第２回折格子部材３４０の内部に形成された干渉縞の形状と、第１回折格子部材３３０の内部に形成された干渉縞の形状とは、導光板３２１の軸線に垂直な仮想面に対して対称な関係にある。
【００７２】
後述する実施例４における導光板３２１も、基本的には、以上に説明した導光板３２１の構成、構造と同じ構成、構造を有する。
【００７３】
実施例３の頭部装着型ディスプレイは、上述したとおり、光学装置３２０が異なる点を除き、実質的に、実施例１の頭部装着型ディスプレイと同じ構成、構造を有するので、詳細な説明は省略する。
【実施例４】
【００７４】
実施例４は、実施例３の変形である。実施例４の頭部装着型ディスプレイにおける画像表示装置の概念図を図７に示す。実施例４の画像表示装置４００における光源２５１、コリメート光学系２５２、走査手段２５３、平行光出射光学系（リレー光学系２５４）等は、実施例２と同じ構成、構造（第２の構成の画像形成装置）を有する。また、実施例４における光学装置３２０は、実施例３における光学装置３２０と同じ構成、構造を有する。実施例４の頭部装着型ディスプレイは、以上の相違点を除き、実質的に、実施例１の頭部装着型ディスプレイと同じ構成、構造を有するので、詳細な説明は省略する。
【実施例５】
【００７５】
実施例５は、実施例１〜実施例４の変形である。実施例１〜実施例４にあっては、支持部材６００は、画像形成装置１１１，２１１を光学装置１２０，３２０及び光学系１１２，２５４に対して回動自在に支持する構成とした。一方、実施例５にあっては、導光板等の配置状態を示す概念図を図８に示すように、支持部材６００は、画像形成装置１１１，２１１及び光学系１１２，２５４を光学装置１２０，３２０に対して回動自在に支持する。支持部材６００は、第１円筒部材６０１、第２円筒部材６０２、並びに、第１円筒部材６０１と第２円筒部材６０２との間に配され、第１円筒部材６０１と第２円筒部材６０２とを相対的に回動させる回動部材６０３を備えており、第１円筒部材６０１内に、画像形成装置１１１，２１１及び光学系１１２，２５４が配置されており、光学装置１２０，３２０は、第２円筒部材６０２に取り付けられている。
【００７６】
尚、第１円筒部材６０１内への画像形成装置１１１，２１１及び光学系１１２，２５４の配置は、画像形成装置１１１，２１１及び光学系１１２，２５４を適切な取付手段・取付方法で第１円筒部材６０１の内面に取り付ければよい。具体的には、画像形成装置１１１，２１１及び光学系１１２，２５４の全体を格納した筐体を第１円筒部材６０１の内面に嵌合させる方法で取り付けた。また、第２円筒部材６０２の光学装置１２０，３２０への取付けは、具体的には、第２円筒部材６０２を適切な取付手段・取付方法で光学装置に取り付ければよい。支持部材６００、より具体的には、第２円筒部材６０２をフレーム１０に取り付けるが、係る取り付けも適切な取付手段・取付方法を用いればよく、支持部材６００、より具体的には、第２円筒部材６０２を、フレーム（より具体的には、テンプル部１３）に固定したが、フレーム１０（より具体的には、テンプル部１３）へ着脱自在に取り付けてもよい。
【００７７】
以上の点を除き、実施例５の画像表示装置及び頭部装着型ディスプレイの構成、構造は、実施例１〜実施例４の画像表示装置及び頭部装着型ディスプレイの構成、構造と同様とすることができるので、詳細な説明は省略する。
【実施例６】
【００７８】
実施例６は、実施例１〜実施例５の変形である。実施例６の画像表示装置を構成する導光板における光の伝播を模式的に図９の（Ａ）に示し、実施例６の画像表示装置を構成する導光板等の配置状態を図９の（Ｂ）に概念図として示し、実施例６の頭部装着型ディスプレイを横から眺めた模式図を図１０に示す。
【００７９】
実施例１〜実施例５にあっては、画像表示装置１００，３００において、画像形成装置１１１の中心から出射され、光学系１１２，２５４の画像形成装置側節点を通過した中心光線ＣＬは、導光板１２１，３２１に垂直に衝突する設計となっている。即ち、中心光線ＣＬは、導光板１２１，３２１へ、入射角０度で入射する設計となっている。そして、この場合、表示される画像の中心は、導光板１２１，３２１の第１面１２２，３２２の垂線方向に一致する。
【００８０】
画像表示装置１００で代表させるこのような画像表示装置にあっては、図２の（Ａ）及び（Ｂ）に示したように、コリメート光学系１１２の光軸上にある画像形成装置１１１の中心から出射する中心光線ＣＬは、コリメート光学系１１２にて略平行光に変換された後、導光板１２１の第１面（入射面）１２２に垂直に入射する。そして、第１偏向手段１３０により第１面１２２と第２面１２３との間で全反射されながら、伝播方向Ａに沿って進む。続いて、この中心光線ＣＬは、第２偏向手段１４０により反射、回折され、導光板１２１の第１面１２２から垂直に出射され、観察者の瞳４１に達する。
【００８１】
シースルー型の頭部装着型ディスプレイにおいて、観察者が、水平方向に位置する対象物を眺めたときに、光学装置１２０，３２０が邪魔にならないようにするためには、観察者の水平方向の視線（観察者の水平方向視線）よりも、光学装置１２０，３２０を下側にずらして配置する必要がある。このような場合、画像表示装置１００，３００、全体を、観察者の水平方向視線の下側に配置する。ところで、このような構成にあっては、図１５に示すように、画像表示装置１００、全体を、角度θ”だけ傾ける必要があり、観察者の頭部への装着のための眼鏡型のフレームの取付部（テンプル部）との関係から、画像表示装置１００を傾けることができる角度θ”が制限されたり、デザイン自由度が低くなる場合がある。それ故、観察者の水平方向視線の邪魔にならないように、高い自由度での配置を可能とし、しかも、高いデザイン自由度を有する画像表示装置とすることが、一層、望ましい。
【００８２】
実施例６にあっては、中心光線ＣＬは、ＸＹ平面と０度以外の角度（θ）で交わる構成とした。更には、中心光線ＣＬはＹＺ平面に含まれる構成とした。更には、実施例６あるいは後述する実施例７において、光学系１１２，２５４の光軸は、ＹＺ平面に含まれ、且つ、ＸＹ平面と０度以外の角度、具体的には、角度θで交わる（図９の（Ａ）及び（Ｂ）参照）。また、実施例６あるいは後述する実施例７の頭部装着型ディスプレイにおいて、ＸＹ平面が水平面と一致すると仮定したとき、中心光線ＣＬがＸＹ平面と交わる角度θは仰角である。即ち、ＸＹ平面の下側から中心光線ＣＬがＸＹ平面に向い、ＸＹ平面と衝突する。そして、ＸＹ平面は垂直面と０度以外の角度、具体的には、角度θで交わる。
【００８３】
実施例６にあっては、θ＝５度とした。より具体的には、このような構成にあっては、中心光線ＣＬ（図１０では、点線で示す）は、水平面に含まれる。そして、光学装置１２０，３２０は、垂直面に対して角度θだけ傾いている。云い換えれば、光学装置１２０，３２０は、水平面に対して角度（９０−θ）度だけ傾いている。また、光学装置１２０，３２０から出射される中心光線ＣＬ’（図１０では、一点鎖線で示す）は、水平面に対して角度２θだけ傾いている。即ち、観察者が、水平方向、無限遠方の対象物を眺めたとき、光学装置１２０，３２０から出射され、観察者の瞳に入射する中心光線ＣＬ’は俯角θ’（＝２θ）をなす（図１０参照）。中心光線ＣＬ’が光学装置１２０，３２０の法線と成す角度はθである。図９の（Ａ）あるいは後述する図１１の（Ａ）においては、光学装置１２０，３２０から中心光線ＣＬ’が出射される点を「Ｏ’」で示し、点Ｏ’を通過するＸ軸、Ｙ軸、Ｚ軸と平行な軸線をＸ’軸、Ｙ’軸、Ｚ’軸で表している。尚、画像形成装置１１１，２１１の中心から出射された中心光線ＣＬは、水平面に含まれる形態に限定するものではなく、０度以外の所望の角度（俯角）で水平面と交わる形態とすることもできる。また、観察者が、水平方向、無限遠方の対象物を眺めたとき、光学装置１２０，３２０から出射され、観察者の瞳に入射する中心光線ＣＬ’は仰角をなす形態とすることもできる。
【００８４】
実施例６の画像表示装置、あるいは、実施例６の頭部装着型ディスプレイを構成する画像表示装置にあっては、中心光線ＣＬは、ＸＹ平面と０度以外の角度（θ）で交わる。ここで、光学装置から出射され、観察者の瞳に入射する中心光線ＣＬ’は俯角θ’をなすが、
θ’＝２θ
の関係にある。一方、図１５に示した例にあっては、同じ俯角を得ようとする場合、画像表示装置の全体を角度θ”だけ傾ける必要があるが、ここで、θ”とθの関係は、
θ”＝２θ
であり、結局、図１５に示した例にあっては、光学装置を垂直面に対して２θだけ、傾けなければならない。一方、実施例６にあっては、光学装置を垂直面に対してθだけ、傾ければよいし、画像形成装置を水平に保持すればよい。従って、画像表示装置を眼鏡型のフレームの取付部に取り付けるときの画像表示装置の取付け角度に対する制限が少なく、高いデザイン自由度を得ることができる。また、光学装置の垂直面に対する傾きが、図１５に示した例よりも小さいので、外光が光学装置にて反射し、観察者の瞳に入射するといった現象が生じ難い。それ故、より高品質の画像の表示を行うことができる。
【実施例７】
【００８５】
実施例７は、実施例６の変形である。実施例７の画像表示装置を構成する導光板における光の伝播を模式的に図１１の（Ａ）に示し、実施例７の画像表示装置を構成する導光板等の配置状態を示す概念図を図１１の（Ｂ）に示す。ここで、実施例７にあっては、光学系（平行光出射光学系，コリメート光学系）１１２の光軸は、ＹＺ平面と平行であり、ＸＹ平面と平行であり、且つ、画像形成装置１１１の中心から外れた位置を通過する。このような構成とすることで、中心光線ＣＬは、ＹＺ平面に含まれ、しかも、ＸＹ平面と仰角θをなして交わる。
【実施例８】
【００８６】
実施例８は、本発明の第２の態様に係る頭部装着型ディスプレイに関する。実施例８の頭部装着型ディスプレイは、横から眺めた模式図を図１２に示すように、
（イ）観察者の頭部に装着される眼鏡型のフレーム１０、及び、
（ロ）支持部材７００によって、回動自在にフレーム１０に取り付けられた画像形成装置７１１、
を備えており、
画像形成装置７１１と支持部材７００との組立体は、支持部材７００の回動中心軸ＡＸから離れた位置に重心ＣＧを有し、重力によって画像形成装置７１１をフレーム１０に対して回動させ、画像形成装置７１１を水平に保持する。尚、実施例８にあっては、画像形成装置７１１を２つ備えているが（両眼型）、１つ備えた片眼型としてもよい。また、画像形成装置７１１は、単色（白色）の画像を表示する透過型空間光変調装置及び光源から構成された画像形成装置、具体的には、透過型の液晶表示装置である。尚、画素の数は、実施例１と同様とした。
【００８７】
実施例８の頭部装着型ディスプレイにおいて、画像形成装置７１１は、支持部材７００の回動中心軸ＡＸから離れた（偏心した）位置に重心ＣＧを有するが、具体的には、画像形成装置７１１の重心ＣＧが支持部材７００の回動中心軸ＡＸ上に位置しないように、画像形成装置７１１を支持部材７００によって支持している。
【００８８】
実施例８においても、支持部材７００は、例えば、プラスチックや金属から作製された第１円筒部材７０１及び第２円筒部材７０２から構成されている。尚、第１円筒部材７０１及び第２円筒部材７０２の大きさ（直径及び長さ）は、画像形成装置７１１、頭部装着型ディスプレイ全体の大きさ等を考慮して、適宜、決定すればよい。第１円筒部材７０１と第２円筒部材７０２との間には、実施例１と同様の回動部材７０３が配置されており、第１円筒部材７０１と第２円筒部材７０２とを相対的に回動させることができる。第１円筒部材７０１と第２円筒部材７０２とは、回動部材７０３を介して入れ子状に配置されている。第１円筒部材７０１内へ画像形成装置７１１を配置すればよく、第１円筒部材７０１内への画像形成装置７１１の配置は、画像形成装置７１１を適切な取付手段・取付方法で第１円筒部材７０１の内面に取り付ければよく、具体的には、画像形成装置７１１の筐体を第１円筒部材７０１の内面に嵌合させる方法で取り付けた。また、支持部材７００によって、画像形成装置７１１は、フレーム１０に対して回動自在に、フレーム１０に取り付けられているが、具体的には、第２円筒部材７０２をフレーム１０に取り付ければよく、より具体的には、第２円筒部材７０２を適切な取付手段・取付方法でリム部、フロント部１１あるいはテンプル部１３に、固定して、あるいは着脱自在に取り付ければよい。
【００８９】
実施例８の頭部装着型ディスプレイにあっては、画像形成装置７１１と支持部材７００との組立体は、支持部材７００の回動中心軸ＡＸから離れた位置に重心ＣＧを有し、重力によって画像形成装置７１１をフレーム１０に対して回動させ、画像形成装置７１１を水平に保持する。従って、簡素な構成、構造にて、頭部装着型ディスプレイを装着した観察者の頭部が傾いても観察者が水平に保持された画像を観察することができる。しかも、重量の増加、製造コストの増加、消費電力の増加を招くことが無いし、しかも、画像処理により表示画像を回転させる必要も無く、大きな表示領域を有する画像形成装置が不要であるし、画像形成装置の解像度を高くする必要も無い。
【００９０】
以上、本発明を好ましい実施例に基づき説明したが、本発明はこれらの実施例に限定するものではない。実施例において説明した画像表示装置、支持部材、頭部装着型ディスプレイの構成、構造は例示であり、適宜変更することができる。例えば、実施例１あるいは実施例５において説明した支持部材における第１円筒部材及び第２円筒部材の構造を、図１４の（Ａ）及び（Ｂ）に示すように変更することもできる。即ち、観察者と対面する第２円筒部材５０２，６０２の部分に底板５０４，６０４を設け、底板５０４，６０４の中心部から内側に向かって突起部５０５，６０５を設け、突起部５０５，６０５の周りを、回動部材５０３，６０３を介して、第１円筒部材５０１，６０１が回動する構造とすることもできる。また、支持部材を構成する２つの部材が相互に回動可能ならば、これらの部材の形状は円筒形でなくともよい。更には、導光板に表面レリーフ型ホログラム（米国特許第２００４００６２５０５Ａ１参照）を配置してもよい。実施例３あるいは実施例４の光学装置３２０にあっては、回折格子素子を透過型回折格子素子から構成することもできるし、あるいは又、第１偏向手段及び第２偏向手段の内のいずれか一方を反射型回折格子素子から構成し、他方を透過型回折格子素子から構成する形態とすることもできる。あるいは又、回折格子素子を、反射型ブレーズド回折格子素子とすることもできる。
【符号の説明】
【００９１】
１０・・・フレーム、１１・・・フロント部、１２・・・蝶番、１３・・・テンプル部、１４・・・モダン部、１５・・・配線（信号線や電源線等）、１６・・・ヘッドホン部、１７・・・ヘッドホン部用配線、１８・・・取付け部材、４１・・・瞳、１００，２００，３００，４００・・・画像表示装置、１１１，７１１・・・画像形成装置、１１２・・・光学系（コリメート光学系）、１１３Ａ，１１３Ｂ，２１３Ａ，２１３Ｂ・・・筐体、１２０，３２０・・・光学装置（導光手段）、１２１，３２１・・・導光板、１２２，３２２・・・導光板の第１面、１２３，３２３・・・導光板の第２面、１２４，１２５・・・導光板の一部分、１３０・・・第１偏向手段、１４０・・・第２偏向手段、３３０・・・第１偏向手段（第１回折格子部材）、３４０・・・第２偏向手段（第２回折格子部材）、１５０・・・反射型空間光変調装置、１５１・・・液晶表示装置（ＬＣＤ）、１５２・・・偏光ビームスプリッター、１５３・・・光源、２５１・・・光源、２５２・・・コリメート光学系、２５３・・・走査手段、２５４・・・光学系（リレー光学系）、２５５・・・クロスプリズム、２５６・・・全反射ミラー、５００，６００，７００・・・支持部材、５０１，６０１，７０１・・・第１円筒部材、５０２，６０２，７０２・・・第２円筒部材、５０３，６０３，７０３・・・回動部材、５０４，６０４・・・底板、５０５，６０５・・・突起部、ＡＸ・・・支持部材の回動中心軸、ＣＧ・・・重心を通り、回動中心軸ＡＸと平行な軸線
【図１】
2011053267.tif 000003
【図２】
2011053267.tif 000004
【図３】
2011053267.tif 000005
【図４】
2011053267.tif 000006
【図５】
2011053267.tif 000007
【図６】
2011053267.tif 000008
【図７】
2011053267.tif 000009
【図８】
2011053267.tif 000010
【図９】
2011053267.tif 000011
【図１０】
2011053267.tif 000012
【図１１】
2011053267.tif 000013
【図１２】
2011053267.tif 000014
【図１３】
2011053267.tif 000015
【図１４】
2011053267.tif 000016
【図１５】
2011053267.tif 000017